(57)【要約】モバイルテレビジョン装置におけるＬＣＤのグラフィカルなスケーリングのシステムが提供される。ＰＡＬ解像度は７２０×５７６であり、たとえば欧州におけるＤＶＢ−Ｔブロードキャストはこの解像度を使用する。４８０×２７２ＬＣＤでこのＰＡＬビデオを表示するため、スケーリングアルゴリズムが使用される。しかし、ＭＨＥＧ−５コンテンツがビデオストリームに存在するとき、異なるスケーリングが要求される。本発明は、７２０×５７６の解像度のインタレースされたＰＡＬビデオを４８０×２７２の解像度を有するＬＣＤのプログレッシブディスプレイに変換するためのメカニズムを提供する。
2009506661.tif 000002
【特許請求の範囲】
【請求項１】
モバイルテレビジョン装置での液晶ディスプレイ（ＬＣＤ）のグラフィカルなスケーリング方法であって、
インタレースされたビデオストリームからのＰＡＬビデオをプログレッシブビデオストリームに変換するステップと、
ビデオに加えてグラフィックスが表示されるかを判定するステップと、
グラフィックスがビデオストリームで表示されないとき、ビデオストリームに第一のタイプのスケーリングを実行するステップと、
ビデオストリームのフィールドの低減を実行して、前記モバイルテレビジョン装置のＬＣＤとの互換性のある解像度に前記ビデオストリームを最終的に低減するステップと、
を含む方法。
【請求項２】
グラフィックがビデオストリームで表示されるとき、ビデオストリームに第二のタイプのスケーリングを実行するステップを更に含む、
請求項１記載の方法。
【請求項３】
前記第一のタイプのスケーリングは、予め決定されたメディアプロセッサで８タップの水平方向フィルタを利用するステップを含む、
請求項１記載の方法。
【請求項４】
前記第二のタイプのスケーリングは、画素の間引きを含む、
請求項２記載の方法。
【請求項５】
前記変換するステップは、ビデオストリームにおけるそれぞれのフレームのうちから最初のフィールドを捕捉するステップを含む、
請求項１記載の方法。
【請求項６】
モバイルテレビジョン装置におけるＬＣＤのグラフィカルなスケーリングの方法であって、
７２０×５７６の解像度をもつインタレースされたＰＡＬビデオストリームを７２０×２８８の解像度を有するプログレッシブビデオストリームに変換するステップと、
ビデオに加えてグラフィックスが表示されるかを判定するステップと、
グラフィックスがビデオストリームで表示されないとき、プログレッシブビデオストリームに第一のタイプのスケーリングを実行するステップと、
プログレッシブビデオストリームのフィールドの低減を実行して、前記モバイルテレビジョン装置のＬＣＤとの互換性のある４８０×２７０の解像度に前記プログレッシブビデオストリームを最終的に低減するステップと、
を含む方法。
【請求項７】
グラフィックがビデオストリームで表示されるとき、ビデオストリームに第二のタイプのスケーリングを実行するステップを更に含む、
請求項６記載の方法。
【請求項８】
前記第一のタイプのスケーリングは、グラフィカルなスケーリングを実行するためにプログラムされた予め決定されたメディアプロセッサで８タップの水平方向フィルタを利用するステップを含む、
請求項６記載の方法。
【請求項９】
前記第二のタイプのスケーリングは、画素の間引きを含む、
請求項７記載の方法。
【請求項１０】
前記変換するステップは、ビデオストリームにおけるそれぞれのフレームのうちから最初のフィールドを捕捉するステップを含む、
請求項６記載の方法。
【発明の詳細な説明】
【技術分野】
【０００１】
本発明は、地上波放送網で動作するモバイルテレビジョン又はビデオ装置に関する。  
より詳細には、本発明は、モバイルビデオ装置のＬＣＤディスプレイでサブタイトルをもつＰＡＬビデオ及び／又はＭＨＥＧ５コンテンツを表示するシステムに関する。
【背景技術】
【０００２】
地上波テレビジョン（ＯＴＡ（ｏｖｅｒ−ｔｈｅ−ａｉｒ）又はブロードキャストテレビジョンとして知られる）は、ケーブル及びサテライトテレビジョンが出現する前のテレビジョンブロードキャスト信号伝達の慣習的な方法であった。なお広く使用されているが、ある国では、緩やかに時代遅れとなってきており、他の国では、デジタル地上波が普及してきている。地上波テレビジョンは、オープンスペースを通して伝送され、通常暗号化されていない（“ｆｒｅｅ−ｔｏ−ａｉｒ”テレビジョンとして一般に知られる）無線波を介して機能する。
【０００３】
地上波テレビジョンの放送は、１９２７年４月７日のワシントンＤＣから放送された最初の長距離の公共テレビジョンによるメディアとしてテレビジョンの開始にさかのぼる。Ｓｔｒａｔｏｖｉｓｉｏｎと呼ばれるＷｅｓｔｉｎｇｈｏｕｓｅにより開発されたシステムを使用したループで移動するフライングハイプレーンによる伝送とは別に、ケーブルテレビジョン又はＣＡＴＶ（ｃｏｍｍｕｎｉｔｙ  ａｎｔｅｎｎａ  ｔｅｌｅｖｉｓｉｏｎ）の出現による１９５０まで、事実上、テレビジョンデリバリの他の方法が存在しなかった。慣習的な地上波ソースから生じる信号に決して依存しないテレビジョン信号を伝達する最初の非地上波の方法は、１９６０年代及び１９７０年代の間に通信衛星の使用により開始された。
【０００４】
米国及び北米の残りの大部分においても、地上波テレビジョンは、１９５３年におけるカラーテレビジョン放送のＮＴＳＣ規格の結果として生じる受け入れによる革新的な変換を受けた。後に、欧州及び世界の残りの国は、後のＰＡＬとＳＥＣＡＭカラーテレビジョン規格の何れかを選択するか、ＮＴＳＣに適合した。
【発明の開示】
【発明が解決しようとする課題】
【０００５】
しかし、ＰＡＬ規格は、７２０×５７６であるビデオ解像度を提供する。欧州における多数のＤＶＢ−Ｔ放送は、たとえば、この規格を使用し、したがってこのビデオ解像度を使用している。しかし、このＰＡＬビデオを４８０×２７２ＬＣＤに表示するため、スケーリングアルゴリズムが使用される。しかし、ＭＨＥＧ−５（Ｍｕｌｔｉｍｅｄｉａ  ａｎｄ  Ｈｙｐｅｒｍｅｄｉａ  ｉｎｆｏｒｍａｔｉｏｎ  ｃｏｄｉｎｇ  Ｅｘｐｅｒｔ  Ｇｒｏｕｐ）コンテンツがビデオストリームに存在するとき、モバイルビデオ装置の４８０×２７２ＬＣＤに表示するために異なるビデオのスケーリングが必要とされる。
【課題を解決するための手段】
【０００６】
本発明は、７２０×５７６の解像度でのインタレースされたＰＡＬビデオを４８０×２７２の解像度を有するモバイルビデオ装置のＬＣＤのプログレッシブディスプレイに変換するメカニズムを提供する。
【０００７】
この態様及び他の態様は、本発明に従って達成され、モバイルテレビジョン装置におけるＬＣＤのグラフィカルなスケーリングの方法は、インタレースされたビデオストリームからのＰＡＬビデオをプログレッシブビデオストリームに変換するステップと、ビデオに加えてグラフィックスが表示されるかを判定するステップ、ビデオストリームにおいてグラフィックスが表示されていないときにビデオストリームに第一のタイプのスケーリングを実行するステップ、ビデオストリームのフィールドの低減を実行して、モバイルテレビジョン装置のＬＣＤディスプレイに互換性のある解像度にまでビデオストリームを最終的に低減するステップを含む。
【０００８】
グラフィックスがビデオストリームに表示されるとき、第二のタイプのスケーリングがビデオストリームで実行される。かかるスケーリングの例は、画素の間引きにより実行される。第一のタイプのスケーリングは、たとえば、予め決定されたメディアプロセッサで８タップの水平方向フィルタを利用することである。
【０００９】
本発明の１つの実現によれば、変換は、ビデオストリームにおけるそれぞれのフレームのうちから最初のフィールドを捕捉することを含む。
【００１０】
本発明の別の実現によれば、モバイルテレビジョン装置におけるＬＣＤのグラフィカルなスケーリングの方法は、７２０×５７６の解像度をもつインタレースされたＰＡＬビデオストリームを７２０×２８８の解像度を有するプログレッシブビデオストリームに変換するステップ、ビデオに加えてグラフィックスが表示されるかを判定するステップ、ビデオストリームにグラフィックスが表示されないときプログレッシブビデオストリームに第一のタイプのスケーリングを実行するステップ、プログレッシブビデオストリームのフィールドの低減を実行し、モバイルテレビジョン装置のＬＣＤディスプレイと互換性のある４８０×２７０の解像度にまでビデオストリームを最終的に低減するステップを含む。
【００１１】
本発明の他の態様及び特徴は、添付図面と共に考慮される以下の詳細な説明から明らかになるであろう。しかし、図面は例示を目的として設計されており、本発明の制限の定義として設計されたものではなく、特許請求の範囲にのみ引用が行われるべきであることが理解されるべきである。さらに、図面は必ずしもスケーリングされる必要はなく、特に示されない場合には、本明細書で記載される構造及び手順を概念的に例示することが意図されることが理解されるべきである。  
図面において、同じ参照符号は図面を通して類似のコンポーネントを示す。
【発明を実施するための最良の形態】
【００１２】
図１は、本発明のスケーリング動作を説明するフローチャートである。７２０×５７６の解像度を有するＰＡＬビデオ入力は、７２０×２８８のプログレッシブ解像度を生成するため、プログレッシブ信号１１２に変換される。入力ＰＡＬ信号は、５０フィールド／２５フレームであるインタレースされる。本発明における変換は、それぞれのフレームのうちから最初のフィールドを捕捉するために適合され、これにより、７２０×２８８にまで解像度が低減される。このアプローチの１つの利点は、最初のフィールドの後に一時的に位置されている２番目のフィールドの結果として生じるアーチファクトの除去である。当業者であれば、デジタルＹＵＶデータを受信し、ＲＧＢデータを出力してＬＣＤを駆動するのに適した装置は本発明の精神から逸脱することなしに使用される場合があることを認識されるであろう。たとえば、Ｅｐｓｏｎ  Ｓ１Ｄ１３７１９チップは、かかる用途のために使用される。
【００１３】
つぎに、ビデオに加えてグラフィックが表示されるかについて判定が行われる（１１４）。これは、ＭＨＥＧ−５（Ｍｕｌｔｉｍｅｄｉａ  ａｎｄ  Ｈｙｐｅｒｍｅｄｉａ  ｉｎｆｏｒｍａｔｉｏｎ  ｃｏｄｉｎｇ  Ｅｘｐｅｒｔ  Ｇｒｏｕｐ）の応用を使用して行われる。グラフィックスが表示される場合、７２０×２８８信号の更なるスケーリングが実行され（１１６）、４８０×２７０での結果的に得られる画像が提供される。このスケーリング（１１６）は、画素の間引き、他の公知の技術を使用して実行される。
【００１４】
グラフィックが表示されない場合（１１４）、スケーリング（１１８）が実行され、４８０×５４０の解像度をもつ信号出力が提供される。例示により、このスケーリングは、ＳＴ５５１７メディアプロセッサでの８タップの水平方向のフィルタを使用して行われ、高品質のスケーリングされた画像が得られる。当業者であれば、ＳＴ５５１７メディアプロセッサがＭ／Ｎ比を使用してプログラムすることができることを認識されるであろう。
【００１５】
インタレース−プログレッシブ変換１１２で実行されるようなフィールド低減プロセス（１２０）が実行され、モバイルビデオ装置のＬＣＤスクリーンでの表示のために、予め決定された４８０×２７０スケールに信号をドロップする。図２Ａは、最終的なスケーリングの結果の図表による表現を示す。
【００１６】
図示される例示的な実現では、ＳＴ５５１７は、ビデオプレーンのみをスケーリングする。グラフィックスは、ＯＳＤプレーン上にあり、かかるように、フルＰＡＬを使用し、フルＰＡＬの７２０×５７６の解像度を使用する。
【００１７】
本発明に従ってプログラムされるＳＴ５５１７メディア処理装置を利用するため、グラフィックを表示させないことが一般的に好ましいが、本発明を適用することができる係るグラフィックスの特別のケースが存在する。特に、サブタイトルグラフィックスである。サブタイトルグラフィックは、毎秒１度のオーダで更新されるので、ＳＴ５５１７は、サブタイトルのグラフィックスが４８０×５４０の解像度に適した場所にあるように、それらをスケーリング／配置するためにプログラムされ、それにより、サブタイトルのグラフィックスは、右の位置に、ＬＣＤディスプレイの正しいアスペクト比で表示される。
【００１８】
図２Ｂは、本発明の態様に係るサブタイトルをスケーリングする効果を示す。サブタイトルは、幾つかの可能なやり方でスケーリングされる。たとえば、１）サブタイトルはスケーリングされず、ビットマップとして受信される。次いで、ビットマップは、同じ関連する位置にあるように再びポジショニングされる。２）サブタイトルがスクリーンに関連するそれらのオリジナルのサイズを維持するように、ラスタフォントに適したフィルタでサブタイトルをスケーリングする。３）１と２の組み合わせであり、ディスプレイのサイズに比較して、オリジナルよりも比較的大きいように、サブタイトルのスケーリングとなる。このスケーリング方法は、小型ＬＣＤディスプレイでの読取り能力を強化するため、サブタイトルの相対的なサイズを強調する能力を提供する。
【００１９】
本発明の原理は、ハードウェア、ソフトウェア、ファームウェア、特定用途向けプロセッサ、その組み合わせの様々な形式で実現される場合がある。好ましくは、本発明は、ハードウェアとソフトウェアの組み合わせとして実現される。さらに、ソフトウェアは、プログラムストレージ装置で有形に実施されるアプリケーションプログラムとして実現されることが好ましい。アプリケーションプログラムは、適切なアーキテクチャを有するマシンにアップロードされ、該マシンにより実行される場合がある。好ましくは、マシンは、１以上の中央処理装置（ＣＰＵ）、ランダムアクセスメモリ（ＲＡＭ）、入力／出力（Ｉ／Ｏ）インタフェースのようなハードウェアを有するコンピュータプラットフォームで実現される。コンピュータプラットフォームは、オペレーティングシステム及びマイクロ命令コードを含む。本明細書で記載される様々なプロセス及び機能は、オペレーティングシステムを介して実行される、マイクロ命令コードの一部であるか、アプリケーションプログラムの一部（又はその組み合わせ）である場合がある。さらに、様々な他の周辺装置は、更なるデータストレージ装置及びプリンティング装置のようなコンピュータプラットフォームに接続される。
【００２０】
添付図面に示される構成要素及び方法ステップの幾つかは、ソフトウェアで実現されるのが好ましく、システムの構成要素（又は方法ステップ）間の実際の接続は、本発明がプログラムされるやり方に依存して異なる場合があることを理解されたい。本明細書での教示が与えられると、当業者であれば、本発明のこれらの実現及び類似の実現、又はコンフィギュレーションを考案することが可能であろう。
【００２１】
本発明の基本的な新たな特徴が図示、記載及び指摘されたが、記載された方法及び例示された装置の詳細の形式での様々な省略、置換及び変形は、本発明の精神から逸脱することなしに当業者により行われることを理解されたい。たとえば、同じ結果を達成するために実質的に同じやり方で実質的に同じ機能を実行するエレメント及び／又は方法ステップの全ての組み合わせは、本発明の範囲にあることが明示的に意図される。さらに、本発明の開示された形式又は実現と共に図示及び／又は記載される構造及び／又はエレメント及び／又は方法ステップは、一般的な設計上の選択の問題として他の開示、記載又は示唆された形式若しくは実現で組み合わされる場合があることが認識されるべきである。したがって、特許請求の範囲により示されるものによってのみ本発明が限定されることが意図される。
【図面の簡単な説明】
【００２２】
【図１】本発明の原理の実現に係るモバイルビデオ装置のＬＣＤでのＰＡＬビデオのグラフィカルな表示のプロセスに関するブロック図である。
【図２】図２Ａは、図１のプロセスの結果の図表の表現を示す図であり、図２Ｂは、本発明の原理の態様に係るサブタイトルのスケーリングの図表の表現を示す図である。
【図１】
2009506661.tif 000003
【図２Ａ】
2009506661.tif 000004
【図２Ｂ】
2009506661.tif 000005
【国際調査報告】
2009506661.tif 000006
2009506661.tif 000007
2009506661.tif 000008